(57)【要約】入力変換器が伝送関数を決定する１次重み付けを有しかつ出力変換器はトラップ特性を改善するために僅かな２次重み付けを備えているという、入力および出力変換器（ＡＷ）を有する弾性表面波トランスバーサルフィルタが提供される。
2004522353.tif 000002
【特許請求の範囲】
【請求項１】
それぞれ入力変換器（Ｂ）および出力変換器（Ａ）として実現されているインターデジタル形変換器を備えている圧電基板を含んでいるＳＡＷトランスバーサルフィルタであって、
入力変換器は伝送関数を形成するために１次重み付け（Ｗ１，Ｗ２）を有しており、
入力変換器のアパーチャＡｐＢは出力変換器のアパーチャＡｐＡより小さく、
出力変換器（ＡＷ）はトラップ特性を改善するために２次重み付けを有しており、該２次重み付けは１次重み付けより著しく僅かである
トランスバーサルフィルタ。
【請求項２】
１次重み付け（Ｗ１，Ｗ２）および２次重み付けに対する重み付け方法として、重なり重み付けが設定されている
請求項１記載のトランスバーサルフィルタ。
【請求項３】
異なっている極性の２つの隣接する電極指の最小重なり長と最大重なり長との間の差として定義されている、出力変換器（ＡＷ）における最大２次重み付けは出力変換器（ＡＷ）のアパーチャの０．５％と１０％との間にある
請求項１または２記載のトランスバーサルフィルタ。
【請求項４】
出力変換器（ＡＷ）の重なり重み付けの少なくとも９５％は入力変換器のアパーチャによって決まってくる、フィルタのトラックの外側にある
請求項１から３までのいずれか１項記載のトランスバーサルフィルタ。
【請求項５】
表面波の波動伝搬の軸線（Ｘ）において測定される、入力変換器（Ｂ）の長さは少なくとも、出力変換器（ＡＷ）の長さの３倍である
請求項１から４までのいずれか１項記載のトランスバーサルフィルタ。
【請求項６】
２次重み付けは与えられているトラップ周波数でのフィルタの最大の減衰に最適化されている
請求項１から５までのいずれか１項記載のトランスバーサルフィルタ。
【請求項７】
請求項１から６までのいずれか１項記載のトランスバーサルフィルタの、娯楽用電子機器における中間周波フィルタまたは周波数正確な用途に対しての使用。
【発明の詳細な説明】
【技術分野】
【０００１】
本発明の対象は、娯楽用電子装置に殊に中間周波数フィルタまたは周波数正確な伝送フィルタとして使用されるような弾性表面波トランスバーサルフィルタである。
【０００２】
ＳＡＷトランスバーサルフィルタまたは以下に短くトランスバーサルフィルタとだけ言う表面波トランスバーサルフィルタは例えば、Siemens Matsushita Components の“SAW Components, Data Book 1996”から公知でありかつ第２７頁以下の章“General technical information”に記載されている。これらのトランスバーサルフィルタは結晶圧電基板に形成されておりかつ入力変換器ないし出力変換器として用いられる２つの交差指状すだれ電極、すなわちインターデジタル形変換器（interdigitaltransducer）を有している。フィルタリングすべき信号が加わる入力変換器は、伝達関数を形成する重み付けを有している。これに対して出力変換器は入力変換器に比べて短くかつ重み付けられておらず、従ってインターデジタル形変換器におけるすべての電極指に対して同じ重なり長を有している。この種の重み付けされていないインターデジタル形変換器は伝達関数ｓｉｎ（ｘ）／ｘを有している。
【０００３】
入力変換器の重み付けの正確な実現は、適当なソフトウェアツールによって実施されるそれ自体公知の最適化の結果である。この種の最適化の結果、すなわちソフトウェアを用いて最適化されたフィルタが、所望の特性とは一致しない実際に測定された特性を有しているとき、測定補正のための種々の方法が公知である。このために実質的に、入力変換器における電極指の重なり長が変化される。しかしソフトウェア最適化後のこの形式の測定補正は所望通り成功しないことが多い。殊に、この種の最適でないフィルタは、所定の周波数に対して不満足でしかない減衰特性を呈する伝達特性を有している可能性がある。例えば、この種の伝達曲線は隣接チャネルに対してまたは障害となる周波数、例えば影像またはアイドラ周波数に対して僅かすぎる選択性しか有していないことがある。上述した従来の測定補正が所望の伝達特性を形成するのに十分でないとき、新たな設計、すなわち縁条件を変えた新しい最適化が必要である。このことは手間をかけてしか実施することができないし、そうしたところで必ずしも改善された伝達特性および殊に改善されたトラップ特性（＝所定の周波数の取り出し）を得られるとは限らない。
【０００４】
従って本発明の課題は、トラップ特性に関するソフトウェア最適化された設計を迅速かつ効果的に改善することができるという、改善されたトラップ特性を備えたトランスバーサルフィルタを提供することである。
【０００５】
この課題は本発明によれば、請求項１の特徴部分に記載の構成を有するトランスバーサルフィルタによって解決される。本発明の有利な形態は従属請求項に記載されている。
【０００６】
本発明は、この種の公知のトランスバーサルフィルタに対して入力変換器の１次重み付けの他に、出力変換器にも重み付けを行うことが提案される。この重み付けは２次重み付けを表しておりかつ入力変換器における１次重み付けより著しく僅かな重み付けを有している。本発明により、本発明のトランスバーサルフィルタのトラップ特性を著しく改善することができ、このことは２次重み付けに係わる持ち分が小さいことを考えれば驚くべき結果である。測定補正は短い時間において、例えば１時間以内に行うことができ、それ故に本発明を用いず行う場合に必要となる、トランスバーサルフィルタ全体の新しい設計に比べて全く手間取らない。
【０００７】
２次重み付けに対する重み付け法として、入力変換器における１次重み付けの場合と同様に重なり重み付けが設定される。重み付けの程度、すなわち重み付けの強さは通例、出力変換器のアパーチャに対して相対的にパーセンテージで表されかつ本発明によれば最大でアパーチャの０．５ないし１０％である。長さとして定義されるこの最大の重み付けは、異なった母線（ブスバー）に結合されておりかつそれ故に異なった極性を有している２つの隣接する電極指の最小および最大重なり長間の差に相応している。
【０００８】
トラップ特性を改善するための新規な方法は本発明によれば、出力変換器における２次重み付けを大部分、音響トラックの外側で行う点にある。出力変換器の重み付けは本発明によれば少なくとも９５％は音響トラックの外側にくるようにすることができる。その際音響トラックとして、入力変換器の側において入力変換器のアパーチャによって形成されている波動伝搬方向の軸線に対して平行に位置している２つの直線の間の面が定義されている。従って、出力変換器は入力変換器より大きなアパーチャも有している。その際両方のアパーチャ間の差は少なくとも１％になるようにし、普通は１０％以上にはならないように調整設定される。
【０００９】
本発明のトランスバーサルフィルタが有している入力変換器の、波動伝搬の軸線において測定される長さは、出力変換器の長さの少なくとも３倍である。従って２次重み付けは比較的僅かでありかつ相応に僅かな数の重なりと結び付いて出力変換器の長さは比較的僅かであるにも拘わらず、改善されたトラップ特性が実現される。
【００１０】
次に本発明を実施例および所属の４つの図に基づいて詳細に説明する。
【００１１】
図１は公知のトランスバーサルフィルタを示し、
図２は本発明のトランスバーサルフィルタに対する出力変換器を示し、
図３は公知のトランスバーサルフィルタの伝達特性を本発明のトランスバーサルフィルタの計算された伝達特性と比較して示し、
図４は公知のトランスバーサルフィルタの伝達特性を本発明のトランスバーサルフィルタの実際に測定された伝達特性と比較して示す。
【００１２】
図１には、圧電基板の表面に配置されている入力変換器Ｂおよび出力変換器Ａを備えてなる公知のトランスバーサルフィルタが実際の縮尺に関係なく略示されている。図示の例では入力変換器は重なり重み付けされた分割指変換器として実現されており、出力変換器Ａは重み付けされていない正規指変換器として実現されている。Ｗ１によって、例示されている重み付けを説明するために、異なっているブスバーから出ている隣接する電極指の重なり長に対する包絡線が示されている。出力変換器Ａは更に、入力変換器Ｂより僅かな長さを有している。
【００１３】
入力信号はフィルタの作動の際に接続端子ＴＢ１およびＴＢ２に印加され、一方出力信号は接続端子ＴＡ１およびＴＡ２において取り出すことができる。
【００１４】
図２には、本発明の２次重み付けを備えている本発明の出力変換器ＡＷがほぼ実際の縮尺通り示されている。この種の変換器は例えば図１に示されているトランスバーサルフィルタの１つにそこの正規形指変換器Ａのところに使用することができる。図２から、本発明の出力変換器ＡＷにおいて使用される重なり重み付けが僅かな重みしか有しておらず、従って異なったブスバーＳ１，Ｓ２から出ている、隣接する電極指Ｆ１，Ｆ２，Ｆ３…の最小の重なりと最大の重なりとの差がほんの僅かであることが明らかに示されている。最大の重み付けは出力変換器のアパーチャに関連して０．５および１０％の間にありかつ個別例では出力変換器ＡＷのアパーチャ全体の５．４３％である。
【００１５】
図３には、重み付けられていない出力変換器Ａを有する公知のトランスバーサルフィルタの測定された伝送特性（測定曲線１，鎖線）が本発明のフィルタの計算された伝送特性（測定曲線２、実線）と対比して示されている。ソフトウェアによって最適化された設計はモデル計算においてここで与えられている、４１．５ＭＨｚの周波数に改善された選択性を示している。このためにこの周波数では改善された減衰が生じることになる。
【００１６】
図４にも、重み付けられていない出力変換器Ａを有する公知のトランスバーサルフィルタの実際に測定された伝送特性（測定曲線１，鎖線）が本発明のフィルタの実際に計算された伝送特性（測定曲線２、実線）と対比して示されている。本発明のフィルタの測定曲線２は期待通りの伝送トラップ特性を有していないが、本発明のフィルタは４１．５ＭＨｚのトラップ周波数の所に約１１ｄＢだけ改善された選択性を備えていることが分かる。フィルタの伝送特性および周波数精度にとって重要である、通過域での伝送特性がその他変わらないとすれば、本発明のフィルタは上に述べた改善されたトラップ特性によって全体として改善されている。
【００１７】
例として選択された、４１．５ＭＨにあるトラップの他に、本発明により別の個々のまたは複数のトラップに関する最適化を並行的に実現することも勿論可能である。
【００１８】
従って、本発明のトランスバーサルフィルタの出力変換器でも本発明の２次重み付けによって、全体として改善された伝送特性を実現することができ、この特性によって意図した迅速な可能な最適化によって殊に、トラップ周波数に改善された選択性を実現することができることが示されている。
【図面の簡単な説明】
【００１９】
【図１】公知のトランスバーサルフィルタの略図
【図２】本発明のトランスバーサルフィルタに対する出力変換器
【図３】公知のトランスバーサルフィルタの伝達特性と本発明のトランスバーサルフィルタの計算された伝達特性との線図
【図４】公知のトランスバーサルフィルタの伝達特性と本発明のトランスバーサルフィルタの実際に測定された伝達特性との線図
【図３】
2004522353.tif 000003
【図４】
2004522353.tif 000004
【国際公開パンフレット】
2004522353.tif 000005
2004522353.tif 000006
2004522353.tif 000007
2004522353.tif 000008
2004522353.tif 000009
2004522353.tif 000010
2004522353.tif 000011
2004522353.tif 000012
2004522353.tif 000013
2004522353.tif 000014
2004522353.tif 000015
2004522353.tif 000016
【国際調査報告】
2004522353.tif 000017
2004522353.tif 000018
2004522353.tif 000019
2004522353.tif 000020
2004522353.tif 000021
2004522353.tif 000022